(57)【要約】【課題】本発明は、浴室内のカビの繁殖を抑制する浴室暖房乾燥機を提供すること。【解決手段】入浴後またはサウナ浴後に、換気運転と、時間差を設けて実施する加熱循環送風運転または循環送風運転からなる急速乾燥モードによって浴室内を効率的かつ短時間で乾燥させ、浴室内の乾燥状態を維持する。また温度と湿度と測定時間間隔からなるカビ指標値のテーブルを用いてカビがどの程度繁殖しているかを判定するカビ判定方法を用いたカビ判定手段と表示する表示手段を備え、カビの汚染リスクの監視を行う。【選択図】図１
2009186133.tif 000002
【特許請求の範囲】
【請求項１】
浴室内の温度を検知するための温度検知手段および湿度を検知するための湿度検知手段と、浴室内の壁面乾燥の制御を行う乾燥運転制御手段を備え、入浴後またはサウナ浴後に換気運転と加熱循環送風運転または循環送風運転を併用して浴室乾燥を行う急速乾燥モードを備える浴室暖房乾燥機において、前記乾燥運転制御手段は、前記急速乾燥モードにて換気運転を開始した後、時間差を設けて加熱循環送風運転または循環送風運転を開始することを特徴とする浴室暖房乾燥機。
【請求項２】
浴室周囲の空気温度を検知するための浴室周囲空気温度検知手段を備えることを特徴とする請求項１に記載の浴室暖房乾燥機。
【請求項３】
急速乾燥モードにおいて、温度検知手段および湿度検知手段で検知した浴室内の温度および湿度の値と、浴室周囲空気温度検知手段で検知した浴室周囲の温度の値から、加熱循環送風運転または循環送風運転の開始判定を行う予備換気判定手段を備えることを特徴とする請求項２に記載の浴室暖房乾燥機。
【請求項４】
急速乾燥モードにおいて循環送風運転を用いたとき、浴室周囲の温度を検知する浴室周囲空気温度検知手段の値と浴室内の温度を検知する温度検知手段の値が等しくなったとき、循環送風運転を停止することを特徴とする請求項３に記載の浴室暖房乾燥機。
【請求項５】
急速乾燥モードにおいて加熱循環送風運転を用いたとき、浴室内の相対湿度が５％以上４０％以下で１時間維持したのち、加熱循環送風運転を停止することを特徴とする請求項１から４のいずれかに記載の浴室暖房乾燥機。
【請求項６】
急速乾燥モードにおいて、加熱循環送風運転または循環送風運転を停止したのち、浴室内の湿度を検知する湿度検知手段の値が１時間あたり１０％以上増加しないとき、急速乾燥モードの終了判定を行うことを特徴とする請求項１から５のいずれかに記載の浴室暖房乾燥機。
【請求項７】
乾燥運転制御手段において、浴室内の温度および湿度から季節を判定する季節判定手段を備え、前記季節判定手段における判定結果をもとに急速乾燥モードにおいて加熱循環送風運転または循環送風運転のいずれかを選択することを特徴とする請求項１から６のいずれかに記載の浴室暖房乾燥機。
【請求項８】
季節判定手段において、２４時間以上１ヵ月以内に検知した最も低い温度をもとに季節を判定することを特徴とする請求項７に記載の浴室暖房乾燥機。
【請求項９】
季節判定手段において、温度が２０℃以上５０℃以下でかつ相対湿度が６０％以上１００％未満の場合、急速乾燥モードにて加熱循環送風運転を行うことを特徴とする請求項７または８に記載の浴室暖房乾燥機。
【請求項１０】
季節判定手段において、温度が−５０℃以上２０℃未満または相対湿度が０％以上６０％未満の場合、急速乾燥モードにて循環送風運転を行うことを特徴とする請求項７または８に記載の浴室暖房乾燥機。
【請求項１１】
急速乾燥モードを起動するための起動手段を浴室外のリモコンに備えることを特徴とする請求項１から１０のいずれかに記載の浴室暖房乾燥機。
【請求項１２】
温度と湿度と測定時間間隔に応じて予め設定されたカビ指標値から、測定した温度と湿度に該当するカビ指標値を決定し、決定したカビ指標値から測定雰囲気中のカビ繁殖レベルを推定するカビ判定手段を備えることを特徴とする請求項１から１１のいずれかに記載の浴室暖房乾燥機。
【請求項１３】
カビ判定手段において、急速乾燥モード実行中は湿度９０％から１００％未満の範囲としてカビ繁殖レベルを判定することを特徴とする請求項１２に記載の浴室暖房乾燥機。
【請求項１４】
カビ判定手段により判定した判定結果に基づく表示を行う表示手段を備えることを特徴とする請求項１２または１３に記載の浴室暖房乾燥機。
【請求項１５】
表示手段を浴室外のリモコンに備えることを特徴とする請求項１４に記載の浴室暖房乾燥機。
【発明の詳細な説明】
【技術分野】
【０００１】
本発明は、浴室内のカビの発生を防止するための浴室暖房乾燥機に関する。
【背景技術】
【０００２】
従来、この種の浴室暖房乾燥機またはミストサウナ付きの浴室暖房乾燥機として、蒸発したミストを浴室内へ供給するミストサウナ装置が知られている（例えば、特許文献１参照）。以下、そのミストサウナ装置について図５を参照しながら説明する。
【０００３】
図５に示すように、ミストサウナ装置１０１は、給湯暖房機１０２とループ状の循環管路で接続している熱交換器１０３と熱交換器上に流されて加熱され、蒸発してミストとなる温水を供給する給湯配管１０４から構成され、給湯配管１０４には、給湯加熱部に入る前の位置に流水スイッチ１０５が設けられ、お湯流量調整弁１０６が設けてある。また、ミスト発生手段１０８によりミスト化した水の粒子を浴室内に送り込むための送風機１０９、凝集した水滴を排水する排水受１１０を設けている。また、乾燥、暖房運転を制御する手段として浴室内の温湿度を検出する手段１０７が設けられたものである。浴室内のカビの繁殖を防ぐものとしては、乾燥運転によって付着した水滴を除去し、その結果カビの繁殖を防ぐことができる。
【０００４】
浴室内に繁殖するカビを抑制するために、ミストサウナ装置１０１内部に換気扇を設け、浴室の使用が終了すると、浴室を乾燥させるために換気扇を運転するものもある（例えば、特許文献２参照）。
【特許文献１】特許第３６９９２８９号公報
【特許文献２】特開２００２−１２６０３３号公報
【発明の開示】
【発明が解決しようとする課題】
【０００５】
このような従来の浴室暖房乾燥機では、浴室内の壁面に付着した水滴を除去するために加熱循環送風運転を用いて付着した水滴を除去する工程が必要であるが、加熱循環送風運転によって浴室内の水分を完全に除去するためには長時間運転する必要があり、また浴室内に充満する高湿度空気によって、加熱循環送風運転による加熱エネルギーの多くを吸収されてしまうため、加熱空気が壁面の水滴まで到達し難く、壁面を乾燥させるために多くのエネルギーを要するという課題がある。
【０００６】
本発明は、このような従来の課題を解決するものであり、入浴後またはサウナ浴後に浴室内の充満する高湿度空気を換気運転によって初めに浴室外へ排出し、時間差を設けて加熱循環送風運転を行うことにより、加熱送風のエネルギーを壁面の水滴まで到達させやすくすることによって、短時間で壁面を乾燥させることができ、エネルギーを削減することができる浴室暖房乾燥機を提供することを目的とする。
【０００７】
また、入浴後またはサウナ浴後に換気運転を長時間実施すると、浴室の大きさや気候などの条件によっては壁面の温度を低下させ、壁面の結露を増大させることによって、浴室内の水分の乾燥時間が大幅に増加してしまうという課題がある。
【０００８】
本発明は、このような従来の課題を解決するものであり、温度検知手段および湿度検知手段によって検知した浴室内の温度および相対湿度（以下、湿度とする）と、浴室周囲空気温度検知手段によって検知した浴室周囲の空気条件から推定される壁面温度とから、壁面の露点を推測し、壁面の結露が増大するような浴室内の空気条件になった場合、直ちに加熱循環送風運転または循環送風運転を開始することにより、壁面の乾燥時間を増加させない換気運転を行う浴室暖房乾燥機を提供することを目的とする。
【０００９】
また、浴室内にどの程度カビが繁殖しているかを判定し、現在どのような状態であるかを使用者に伝達し、浴室環境の改善へとつなげることができる手法が求められている。
【００１０】
本発明は、このような従来の課題を解決するものであり、浴室内の温度と湿度と測定時間間隔からカビ繁殖レベルを判定するカビ判定手段により、カビが増殖しやすいか、もしくはカビが繁殖しているかを判定し、カビ繁殖レベルが大きくなった場合、表示手段によってカビ繁殖レベルの判定結果を表示することにより、使用者が浴室内のカビ汚染を未然に知ることができる浴室暖房乾燥機を提供することを目的としている。
【課題を解決するための手段】
【００１１】
本発明の浴室暖房乾燥機は、上記目的を達成するために、浴室内の温度を検知するための温度検知手段および湿度を検知するための湿度検知手段と、浴室内の壁面乾燥の制御を行う乾燥運転制御手段を備え、入浴後またはサウナ浴後に換気運転と加熱循環送風運転または循環送風運転を併用して浴室乾燥を行う急速乾燥モードを備える浴室暖房乾燥機において、前記急速乾燥モードにて、換気運転を開始した後、時間差を設けて加熱循環送風運転または循環送風運転を開始することを特徴とする浴室暖房乾燥機としたものである。
【００１２】
これにより、入浴後またはサウナ浴後に浴室内の充満する高湿度空気を換気運転によって初めに浴室外へ排出することにより、加熱送風のエネルギーを壁面の水滴まで到達させやすくすることによって、短時間で壁面を乾燥させることができ、エネルギーを削減することができる浴室暖房乾燥機を提供することができる。
【００１３】
また、他の手段は、浴室周囲の空気温度を検知するための浴室周囲空気温度検知手段を備えることを特徴とする請求項１に記載の浴室暖房乾燥機としたものである。
【００１４】
これにより、入浴中にも変化が少ない浴室周囲の空気温度を判定に利用することができ、浴室内の使用状況の判定や、乾燥運転制御の精度向上を図れる浴室暖房乾燥機を提供することができる。
【００１５】
また、他の手段は、急速乾燥モードにおいて、温度検知手段および湿度検知手段で検知した浴室内の温度および湿度の値と、浴室周囲空気温度検知手段で検知した浴室周囲の温度の値から、加熱循環送風運転または循環送風運転の開始判定を行う予備換気判定手段を備えることを特徴とする請求項１に記載の浴室暖房乾燥機としたものである。
【００１６】
これにより、温度検知手段および湿度検知手段によって検知した浴室内の空気条件と、浴室周囲空気温度検知手段によって検知した浴室周囲の空気条件から判定される壁面温度とから、壁面の露点を推測し、壁面の結露が増大するような浴室内の空気条件になった場合、直ちに加熱循環送風運転または循環送風運転を開始することにより、壁面の乾燥時間を増加させない換気運転を行う浴室暖房乾燥機を提供することができる。
【００１７】
また、他の手段は、急速乾燥モードにおいて循環送風運転を用いたとき、浴室周囲の温度を検知する浴室周囲空気温度検知手段の値と浴室内の温度を検知する温度検知手段の値が等しくなったとき、循環送風運転を停止することを特徴とする請求項３に記載の浴室暖房乾燥機としたものである。
【００１８】
これにより、循環送風運転を最も効率的に使用できる浴室内の温度が浴室外に比べて高い状態において、循環送風運転を使用することができ、循環送風運転にかかるエネルギーの最小化と、短時間による浴室乾燥を行うことができる浴室暖房乾燥機を提供することができる。
【００１９】
また、他の手段は、急速乾燥モードにおいて加熱循環送風運転を用いたとき、浴室内の相対湿度が５％以上４０％以下で１時間維持したのち、加熱循環送風運転を停止することを特徴とする請求項１から４のいずれかに記載の浴室暖房乾燥機としたものである。
【００２０】
これにより、加熱循環送風によって浴室内の湿度を５％以上４０％以下にし、一定時間維持することでカビの菌糸の付着水を除去し、カビの繁殖を抑制することができる。
【００２１】
また、他の手段は、急速乾燥モードにおいて、加熱循環送風運転または循環送風運転を停止したのち、浴室内の湿度を検知する湿度検知手段の値が１時間あたり１０％を超えて増加しないとき、急速乾燥モードの終了判定を行うことを特徴とする請求項１から５のいずれかに記載の浴室暖房乾燥機としたものである。
【００２２】
これにより、浴室内の温度上昇による湿度の低下によらず、浴室内の水分が除去され乾燥が完了しているかを精度よく判定することができる浴室暖房乾燥機を提供することができる。
【００２３】
また、他の手段は、乾燥運転制御手段において、浴室内の温度および湿度から季節を判定する季節判定手段を備え、前記季節判定手段における判定結果をもとに急速乾燥モードにおいて加熱循環送風運転または循環送風運転のいずれかを選択することを特徴とする請求項１から６のいずれかに記載の浴室暖房乾燥機としたものである。
【００２４】
これにより、カビが繁殖しやすい期間のみ効率的に加熱エネルギーを使用することができ、省エネルギーな浴室暖房乾燥機を提供することができる。
【００２５】
また、他の手段は、季節判定手段において、２４時間以上１ヵ月以内に検知した最も低い温度をもとに季節を判定することを特徴とする請求項７に記載の浴室暖房乾燥機としたものである。
【００２６】
これにより、浴室内の使用状況による変化や、気候、天気による変化に影響されず、カビが繁殖しやすい時期であるかを精度よく判定することができる浴室暖房乾燥機を提供することができる。
【００２７】
また、他の手段は、季節判定手段において、温度が２０℃以上５０℃以下でかつ相対湿度が６０％以上１００％未満の場合、急速乾燥モードにて加熱循環送風運転を行うことを特徴とする請求項７または８に記載の浴室暖房乾燥機としたものである。
【００２８】
これにより、カビが繁殖しやすい梅雨時期から中間期にかけてみられる特徴的な温度および湿度によって精度よくカビが繁殖しやすい時期であるかを判定し、効率よく加熱循環送風による壁面の短時間乾燥とカビへの低湿度ショックを与えカビの繁殖を抑制することができる浴室暖房乾燥機を提供することができる。
【００２９】
また、他の手段は、季節判定手段において、温度が−５０℃以上２０℃未満または相対湿度が０％以上６０％未満の場合、急速乾燥モードにて循環送風運転を行うことを特徴とする請求項７または８に記載の浴室暖房乾燥機としたものである。
【００３０】
これにより、カビが繁殖しにくい時期を精度よく判定し、循環送風運転によって省エネルギーに浴室乾燥を行うことができる浴室暖房乾燥機を提供することができる。
【００３１】
また、他の手段は、急速乾燥モードを起動するための起動手段を浴室外のリモコンに備えることを特徴とする請求項１から１０のいずれかに記載の浴室暖房乾燥機としたものである。
【００３２】
これにより、入浴中の誤作動による使用者への不快感を防止し、入浴後直ちに浴室乾燥を実施することができる浴室暖房乾燥機を提供することができる。
【００３３】
また、他の手段は、温度と湿度と測定時間間隔に応じて予め設定されたカビ指標値から、測定した温度と湿度に該当するカビ指標値を決定し、決定したカビ指標値から測定雰囲気中のカビ繁殖レベルを判定するカビ判定手段を備えることを特徴とする請求項１から１１のいずれかに記載の浴室暖房乾燥機としたものである。
【００３４】
これにより、浴室内にカビがどの程度繁殖しているのか判定することができ、カビ汚染が現れる前に使用者がカビの繁殖を認識し、カビ抑制を行うことができる浴室暖房乾燥機を提供することができる。
【００３５】
また、他の手段は、カビ判定手段において、急速乾燥モード実行中は湿度９０％から９９％の範囲としてカビ繁殖レベルを判定することを特徴とする請求項１２に記載の浴室暖房乾燥機としたものである。
【００３６】
これにより、急速乾燥が完了する前の乾燥状態を過小評価せず、壁面に付着するカビの繁殖レベルを精度よく判定することができる浴室暖房乾燥機を提供することができる。
【００３７】
また、他の手段は、カビ判定手段により判定した判定結果に基づく表示を行う表示手段を備えることを特徴とする請求項１２または１３に記載の浴室暖房乾燥機としたものである。
【００３８】
これにより、浴室内におけるカビの繁殖レベルの判定結果から、カビが増殖しやすいか、もしくはカビが繁殖しているかを表示手段によって表示することにより、浴室内のカビ汚染を未然に知ることができるか、カビの汚染を最小限で抑制することができる。
【００３９】
また、他の手段は、表示手段を浴室外のリモコンに備えることを特徴とする請求項１４に記載の浴室暖房乾燥機としたものである。
【００４０】
これにより、浴室外、例えば脱衣室や台所のリモコン上に表示手段を設けることで、浴室に入らないときにも使用者がカビの繁殖レベルを認識しやすくすることができる。
【発明の効果】
【００４１】
本発明によれば、カビが繁殖しやすい季節のみ加熱エネルギーを使用することで、使用するエネルギーを低減しつつカビを抑制できるという効果が得られる。
【００４２】
また、短時間で浴室内を乾燥させることができ、カビの繁殖を抑制することで清潔性の高い浴室を実現することができるという効果が得られる。
【００４３】
また、循環送風運転にかかるエネルギーを低減しつつ、浴室内の乾燥を短時間で行うことができ、省エネルギーでカビの繁殖を抑えた浴室を実現することができるという効果が得られる。
【００４４】
また、乾燥運転の精度を向上させることで、乾燥不十分によるカビの繁殖防止や、乾燥過剰によるエネルギーの増大を防止し、省エネルギーで清潔性を高めることができるという効果が得られる。
【００４５】
また、急速乾燥を能動的に行うことで、入浴中に換気運転が開始されることを防止し快適性を向上させることができるという効果が得られる。
【００４６】
また、カビが繁殖するレベルの正確性を向上させることができ、清潔性の向上、カビ掃除を簡易化できるという効果が得られる。
【００４７】
また、浴室内のカビの繁殖を知ることで、カビの抑制など住宅環境の改善へとつなげることができ、清潔性を高めるという効果が得られる。
【００４８】
また、使用者が浴室のカビの繁殖レベルを頻繁に確認することができ、より確実にカビの繁殖を防止することができ、清潔性を高めることができるという効果が得られる。
【００４９】
また、最適な間隔でカビの抑制対策を行うことができるが、カビの繁殖を抑制する間隔が長すぎて効果が得られないことや、間隔が短すぎて過剰なエネルギーを使用することなどを防止することができ、省エネルギー化することができるという効果が得られる。
【００５０】
また、塩素などの防カビ剤を使用することなく、カビを抑制することができるため、環境負荷を低減することができるという効果が得られる。
【００５１】
また、カビの胞子の発芽活性と菌糸の成長を停止させることで、浴室内のカビ数を著しく低減させ、防カビ運転の頻度を低減することができるという効果が得られる。
【発明を実施するための最良の形態】
【００５２】
本発明を実施するための最良の形態として、請求項１記載の発明は、浴室内の温度を検知するための温度検知手段および湿度を検知するための湿度検知手段と、浴室内の壁面乾燥の制御を行う乾燥運転制御手段を備え、入浴後またはサウナ浴後に換気運転と加熱循環送風運転または循環送風運転を併用して浴室乾燥を行う急速乾燥モードを備える浴室暖房乾燥機において、前記急速乾燥モードにて、換気運転を開始した後、時間差を設けて加熱循環送風運転または循環送風運転を開始することを特徴とする浴室暖房乾燥機としたものであり、入浴後またはサウナ浴後に浴室内の充満する高湿度空気を換気運転によって初めに浴室外へ排出することにより、加熱送風のエネルギーを壁面の水滴まで到達させやすくするという作用を有し、短時間で壁面を乾燥させるという作用を有し、エネルギーを削減することができるという作用を有する。
【００５３】
また、請求項２記載の発明は、浴室周囲の空気温度を検知するための浴室周囲空気温度検知手段を備えることを特徴とする請求項１に記載の浴室暖房乾燥機としたものであり、入浴中にも変化が少ない浴室周囲の空気温度を判定に利用することで、浴室内の使用状況を判定することができるという作用を有し、乾燥運転制御の精度を向上するという作用を有する。
【００５４】
また、請求項３記載の発明は、急速乾燥モードにおいて、温度検知手段および湿度検知手段で検知した浴室内の温度および湿度の値と、浴室周囲空気温度検知手段で検知した浴室周囲の温度の値から、加熱循環送風運転または循環送風運転の開始判定を行う予備換気判定手段を備えることを特徴とする請求項１に記載の浴室暖房乾燥機としたものであり、温度検知手段および湿度検知手段によって検知した浴室内の空気条件と、浴室周囲空気温度検知手段によって検知した浴室周囲の空気条件から判定される壁面温度とから、壁面の露点を推測し、壁面の結露が増大するような浴室内の空気条件になったときに、直ちに加熱循環送風運転または循環送風運転を開始することができ、結露の増大を防止することができるという作用を有し、壁面の乾燥時間を増加させないという作用を有する。
【００５５】
また、請求項４記載の発明は、急速乾燥モードにおいて循環送風運転を用いたとき、浴室周囲の温度を検知する浴室周囲空気温度検知手段の値と浴室内の温度を検知する温度検知手段の値が等しくなったとき、循環送風運転を停止することを特徴とする請求項３に記載の浴室暖房乾燥機としたものであり、循環送風運転を最も効率的に使用できる浴室内の温度が浴室外に比べて高い状態において循環送風運転を使用することで、循環送風運転にかかるエネルギーを最小化できるという作用を有し、短時間で浴室乾燥できるという作用を有する。
【００５６】
また、請求項５記載の発明は、急速乾燥モードにおいて加熱循環送風運転を用いたとき、浴室内の相対湿度が５％以上４０％以下で１時間維持したのち、加熱循環送風運転を停止することを特徴とする請求項１から４のいずれかに記載の浴室暖房乾燥機としたものであり、加熱循環送風によって浴室内の湿度を４０％以下にし、一定時間維持することでカビの菌糸の付着水を除去し、カビの繁殖を抑制するという作用を有する。
【００５７】
また、請求項６記載の発明は、急速乾燥モードにおいて、加熱循環送風運転または循環送風運転を停止したのち、浴室内の湿度を検知する湿度検知手段の値が１時間あたり１０％を超えて増加しないとき、急速乾燥モードの終了判定を行うことを特徴とする請求項１から５のいずれかに記載の浴室暖房乾燥機としたものであり、浴室内の温度上昇による湿度の低下によらず、浴室内の水分が除去され乾燥が完了しているかを精度よく判定できるという作用を有する。
【００５８】
また、請求項７記載の発明は、乾燥運転制御手段において、浴室内の温度および湿度から季節を判定する季節判定手段を備え、前記季節判定手段における判定結果をもとに急速乾燥モードにおいて加熱循環送風運転または循環送風運転のいずれかを選択することを特徴とする請求項１から６のいずれかに記載の浴室暖房乾燥機としたものであり、カビが繁殖しやすい期間のみ効率的に加熱エネルギーを使用することで、エネルギーを低減できるという作用を有する。
【００５９】
また、請求項８記載の発明は、季節判定手段において、２４時間以上１ヵ月以内に検知した最も低い温度をもとに季節を判定することを特徴とする請求項７に記載の浴室暖房乾燥機としたものであり、浴室乾燥制御において、浴室内の使用状況による変化や、気候、天気による変化に影響されないという作用を有し、カビが繁殖しやすい時期であるかを判定する精度を高めることができるという作用を有する。
【００６０】
また、請求項９記載の発明は、季節判定手段において、温度が２０℃以上５０℃未満でかつ相対湿度が６０％以上１００％未満の場合、急速乾燥モードにて加熱循環送風運転を行うことを特徴とする請求項７または８に記載の浴室暖房乾燥機としたものであり、カビが繁殖しやすい梅雨時期から中間期であることを精度よく判定できるという作用を有し、加熱に要するエネルギーを削減できるという作用を有し、壁面を短時間で乾燥できるという作用を有し、カビへの低湿度ショックを与えカビの繁殖を抑制することができるという作用を有する。
【００６１】
また、請求項１０記載の発明は、季節判定手段において、温度が−５０℃以上２０℃未満または相対湿度が０％以上６０％未満の場合、急速乾燥モードにて循環送風運転を行うことを特徴とする請求項７または８に記載の浴室暖房乾燥機としたものであり、カビが繁殖しにくい時期を精度よく判定できるという作用を有し、循環送風運転によって省エネルギーに浴室乾燥を行うことができるという作用を有する。
【００６２】
また、請求項１１記載の発明は、急速乾燥モードを起動するための起動手段を浴室外のリモコンに備えることを特徴とする請求項１から１０のいずれかに記載の浴室暖房乾燥機としたものであり、入浴中の誤作動による使用者への不快感を防止するという作用を有し、入浴後直ちに浴室乾燥を実施することでカビの繁殖を抑制できるという作用を有する。
【００６３】
また、請求項１２記載の発明は、温度と湿度と測定時間間隔に応じて予め設定されたカビ指標値から、測定した温度と湿度に該当するカビ指標値を決定し、決定したカビ指標値から測定雰囲気中のカビ繁殖レベルを判定するカビ判定手段を備えることを特徴とする請求項１から１１のいずれかに記載の浴室暖房乾燥機としたものであり、浴室内にカビがどの程度繁殖しているのか判定することができるという作用を有し、カビ汚染が現れる前に使用者がカビの繁殖を認識できるという作用を有する。
【００６４】
また、請求項１３記載の発明は、カビ判定手段において、急速乾燥モード実行中は湿度９０％から９９％の範囲としてカビ繁殖レベルを判定することを特徴とする請求項１２に記載の浴室暖房乾燥機としたものであり、急速乾燥が完了する前の乾燥状態の過小評価を防止するという作用を有し、壁面に付着するカビ繁殖レベルの判定精度を向上させるという作用を有する。
【００６５】
また、請求項１４記載の発明は、カビ判定手段により判定した判定結果に基づく表示を行う表示手段を備えることを特徴とする請求項１２または１３に記載の浴室暖房乾燥機としたものであり、浴室内におけるカビの繁殖レベルの判定結果から、カビが増殖しやすいか、もしくはカビが繁殖しているかを表示手段によって表示することにより、浴室内のカビ汚染を未然に知ることができるという作用を有し、カビの汚染を最小限で抑制することができるという作用を有する。
【００６６】
また、請求項１５記載の発明は、表示手段を浴室外のリモコンに備えることを特徴とする請求項１４に記載の浴室暖房乾燥機としたものであり、浴室外、例えば脱衣室や台所のリモコン上に表示手段を設けることで、浴室に入らないときにも使用者がカビ繁殖レベルを認識しやすくなるという作用を有し、カビの繁殖を抑制できるという作用を有する。
【００６７】
以下、本発明の実施の形態について、図面を参照しながら説明する。
【００６８】
（実施の形態１）ミストサウナ付き浴室暖房乾燥機の構成
図１は、本発明のミストサウナ付き浴室暖房乾燥機の構成を示す図である。
【００６９】
浴室暖房乾燥機１は、浴室内の空気を排気する換気ボックス２と浴室内の乾燥、循環送風、ミストの発生、噴霧を行うミスト発生手段であるミスト発生乾燥循環ボックス３と換気ボックス２内の構成部品、ミスト発生乾燥循環ボックス３内の構成部品を制御する運転制御指示回路４から構成されている。
【００７０】
換気ボックス２内には、浴室に設置してあるミスト発生乾燥循環ボックス３を通過し、浴室内の空気を排気するための排気ファン５と浴室内の排気量を制御する排気ダンパー６を設けている。
【００７１】
ミスト発生乾燥循環ボックス３内には、給湯暖房機７から給湯配管８を通して供給されるお湯をミスト化するためのミスト生成手段９がある。ミストサウナは、ミスト生成手段９より温水をミスト化し、エレミネータ１０で水滴を除去した後、浴室内に噴霧される。これにより発生するミストの粒径は０．１μｍから１０μｍ程度の粒径をもつ。エレミネータ１０で除去された水滴は、排水受１１で集められ、排水される。また浴室内の空気を加熱する空気加熱手段である熱交換器１２、浴室内に空気を循環送風させるための循環送風手段として送風機１３を設けている。また浴室内の温度を検出する温度検知手段１４と浴室内の湿度を検出する湿度検知手段１５をミスト発生乾燥循環ボックス３に設けている。
【００７２】
浴室内壁および断熱材の外側には浴室周囲空気温度検知手段１６を設けているが、浴室内壁および断熱材の外側に面していれば、換気ボックス２またはミスト発生乾燥循環ボックス３のいずれかに設けることが好ましい。この場合、屋根裏の空気を浴室周囲空気温度として測定する。一方、浴室周囲のより温度が低い側面または床面の周囲まで配線で伸ばして設置することもできる。
【００７３】
運転制御指示回路４はミスト噴霧運転、暖房運転、循環送風運転、乾燥運転、換気運転の切り替えや、調整、各種運転モードの変数の設定など浴室暖房乾燥機１の運転方法の制御を行うものである。ここで、ミスト噴霧運転とは、給湯暖房機７から給湯配管８を通して供給されるお湯をミスト生成手段９によりミスト化したものを循環送風手段である送風機１３により浴室内に噴霧する運転であり、また乾燥運転とは、排気ファン５を運転し、開放された排気ダンパー６より浴室内の空気を浴室外へ排気する運転、または浴室内の空気を浴室外へ排気しつつ熱交換器１２により加熱された空気を循環送風手段によって浴室内に循環送風させる加熱循環送風運転のことを指す。暖房運転とは、空気加熱手段である熱交換器１２を通過した加熱空気を循環送風手段である送風機１３によって、浴室内に循環送風し、浴室内を温度上昇させるための運転方法である。このとき、乾燥運転とは異なり、換気ボックス２内の排気ファン５および排気ダンパー６を使用しないため、暖められた空気は浴室外へ放出させず、効率的に浴室内を温度上昇させることができる。暖房運転の吹出し空気温度は加熱温度制御手段によって４０℃から６０℃の間になるように調整する。加熱温度制御手段は、熱交換器１２に供給されるお湯の温度を調整する手段と、供給するお湯量調整弁１７、吹出し空気温度を検知する手段によって構成され、吹出し空気温度が設定範囲内に入るように運転制御を行うものである。
【００７４】
運転制御指示回路４は、送風機１３、排気ファン５、排気ダンパー６や、給湯配管８に設けたお湯量調整弁１７などの電磁弁、気流の風向を制御するための気流制御手段１８、温度検知手段１４、湿度検知手段１５、浴室周囲空気温度検知手段１６などと配線で接続されている。また、操作手段として、浴室内リモコン（リモートコントローラー）１９及び脱衣室リモコン２０を設け、運転方法や運転温度、運転時間などを使用者がボタン操作で選択、実行することができる。浴室内の温度検知手段１４および浴室周囲空気温度検知手段１６としては、赤外線などにより、表面温度を計測するセンサがあるが、水滴が付着すると表面温度の計測ができないことがあるため、例えば、水滴が付着しにくく、耐水性を施した熱電対センサが好ましい。また、表面に撥水または疎水処理を施すのも有効である。浴室内の温度検知手段１４は浴室内の温度を検出するものであり、例えば実際に浴室で起こりうる温度範囲である５℃以上６０℃以下を検出できるものであるのが好ましい。
【００７５】
浴室内の温度検知手段１４は図１に示した通り、浴室暖房乾燥機１のミスト発生乾燥循環ボックス３の内部に設けるのが好ましいが、浴室内であればこれに限定されない。しかし、浴室内の水滴が付着する部位に設置する場合は、水滴の付着による検出阻害が起こらない手段を選択する必要がある。また、浴室内の温度検知手段１４で浴室内の温度５０℃以上を検知した場合は、浴室部材、浴室内テレビやラジオといった備品への悪影響を最小限に抑えるために、自動でミスト噴霧運転または乾燥運転が停止される運転制御方法を運転制御指示回路４に組み込むのが好ましい。
【００７６】
浴室内の湿度検知手段１５として、塩化リチウムやセラミックなどを素材とするセンサが挙げられるが、表面に付着した水滴と結合し、湿度の計測ができないことがある。素材に高分子膜を用いたこと湿度センサを利用すると水滴の付着による湿度計測阻害を最小限にすることが可能である。また、浴室内の湿度検知手段１５は浴室内の湿度を検出するだけで良く、例えば、湿度検知範囲は４０％から１００％にするのが好ましい。
【００７７】
浴室内の湿度検知手段１５は図１に示した通り、浴室暖房乾燥機１の内部に設けるのが好ましいが、浴室内であればこれに限定されない。しかし、浴室内の水滴が付着する部位に設ける場合は、水滴の付着による検出阻害が起こらない手段を選択する必要がある。
【００７８】
浴室内の壁面を乾燥するための乾燥運転制御手段は、温度検知手段１４、湿度検知手段１５、浴室周囲温度検知手段１６により測定された温度および湿度によって、運転方法を選択するようにプログラムしておく。入浴、またはサウナ浴の直後には、浴室内には高湿度空気が充満しており、その状態のまま加熱循環送風運転による乾燥運転を行うと、高湿度空気に加熱送風のエネルギーを吸収され、壁面に到達し難く、壁面を乾燥させるのに多大なエネルギーを要することとなる。一方、換気運転を行うと、次第に浴室内の空気と壁面が冷やされて結露が増大し、浴室内が乾燥するまでの時間を増大させてしまうこととなる。そのため、初めに短時間の換気運転を行い、高湿度空気を減少させ、温度が低下しはじめたとき、加熱循環送風運転または循環送風運転を開始し、浴室内の空気を攪拌しつつ壁面近傍へ気流を与えることで、結露を増加させないように効率的に乾燥運転を行うことができる。
【００７９】
加熱循環送風運転および循環送風運転の開始時期は、温度検知手段１４および湿度検知手段１５による浴室内の空気条件と、浴室周囲温度検知手段１６から判定した壁面温度をもとに壁面の露点を求め、換気運転開始後に浴室内の空気条件で結露が増大する温度および湿度であるかを予備換気判定手段によって判断し、露点に達した場合、直ちに加熱循環送風運転または循環送風運転の開始判定を行う。浴室内の空気で壁面が露点に達するまでの時間は、換気運転開始後、３０分以内と比較的短時間で達するため、温度および湿度の検知は１０秒から１分程度の短い間隔で検知を行う必要がある。
【００８０】
循環送風運転を行う場合、浴室内を加熱させないため、気流によって壁面の水滴が蒸散し、浴室内の相対湿度は大幅に増加する。循環送風運転は、浴室内の壁面の温度が浴室周囲の空気温度に比べて高く、熱を放出している時に、壁面乾燥に効果を示す。逆に、壁面温度が浴室周囲の空気温度と等しくなったのちには換気運転のみに比べて乾燥時間の短時間化には大きな効果は得られないことが多い。そのため、温度検知手段１４により検知した浴室内の攪拌された空気の温度と、浴室周囲温度検知手段１６による浴室周囲の温度が等しくなったとき、循環送風運転を終了し、あとは換気運転によって浴室内の乾燥を行うことが、使用エネルギーに対して最も効果的である。
【００８１】
一方、加熱循環送風運転を行う場合、加熱空気を送風することにより、壁面に付着した水滴は蒸散しやすくなる。また、加熱空気による熱によって壁面の温度が上昇するため、水滴の蒸気圧が高まり、更に乾燥を促進する。このとき浴室内は水滴が蒸散するが、浴室内の湿度は低下する。これは投入熱量が浴室内の水分の乾燥速度よりも大きく、浴室内が乾燥しやすい状態にあることを示しており、短時間で浴室を乾燥させることができる。そのため、浴室内の湿度の値から、これが４０％以下になった場合に浴室内が乾燥しやすい空気であると判断し、そこから一定時間加熱循環送風運転を維持させることで、浴室内の乾燥を行う。しかしながら、加熱循環送風運転は、エネルギー使用量が大きいため、あまり長時間運転するのではなく、１時間で終了させることが、日常的に使用するのに現実的な時間である。また、４０％以下とすることで、カビ菌糸に付着している結合水を除去し、菌糸を乾燥して成長を抑制することから、浴室内のカビの繁殖防止にも効果的である。
【００８２】
加熱循環送風運転または循環送風運転を停止後、換気運転を継続して実施しているが、このとき、壁面の水滴付着量の減少にともなって浴室内の湿度も減少し、浴室内の乾燥が終了すると、湿度が安定する。この湿度低下が停止したとき、浴室の乾燥が完了したと判断することができるが、湿度検知手段１５である湿度センサのバラつきも考慮し、さらに１時間換気運転を継続させ、湿度の上昇が１０％を目安に増加しなければ、浴室内が乾燥完了しているとし、急速乾燥モードの終了判定を行うことで、確実に浴室内を乾燥させることができる。
【００８３】
このような加熱循環送風運転または循環送風運転のどちらを実施するかの判定は、季節判定手段で行う。季節判定手段は、温度検知手段１４、湿度検知手段１５により測定された温湿度によって、運転方法を選択するようプログラムしておく。例えば、夏期や梅雨時などの中間期のようにカビ汚染が進行しやすい季節の場合、外気がカビの繁殖するおそれのある温度２０℃以上かつ湿度６０％以上となる日が続くと、循環送風運転や換気を行っても壁面を乾燥させにくく、カビの繁殖しやすい状態が続くため、カビ汚染が進行してしまうという恐れがある。このため、このような温度および湿度の場合には、短時間で乾燥させ、湿度を低くすることができる加熱循環送風運転を選択し使用することがよい。
【００８４】
一方、カビが繁殖し難い季節、例えば中間期から冬期の外気では、温度も湿度も低く（２０℃未満、６０％未満）カビの繁殖には適さないためカビの成長は少ない。このような季節の場合には、循環送風運転を選択して使用する。加熱循環送風運転を行わなくても、換気及び循環送風により浴室内の温度と湿度を下げることで、十分に壁面の乾燥とカビの繁殖を抑制することが可能となる。このような制御を行うことで、加熱にかかるエネルギーを低減することができ、省エネルギーな乾燥運転制御手段とすることができる。
【００８５】
季節判定手段による判定に使用する温度および湿度は、２４時間から長くて１ヵ月以内に計測した最も低い温度が計測された時点での温度および湿度を採用する。季節を判定する時、最高温度で行おうとすると、入浴やサウナ浴での温度を採用する恐れがあり、これを排除するための制御が複雑となる。よって、最低温度とすれば、そのような必要がなく、精度よく季節を判定することができる。このとき、１日間の変動をみてもよいが、数日ないし１ヵ月程度の季節が変わらない範囲で計測した値を使用することで更に安定して判定を行うことができるようになる。
【００８６】
このような浴室の乾燥運転制御手段は、急速乾燥モードとしてボタンによる起動手段を浴室外、脱衣室のリモコン上などに設け、自動制御させるものとする。
【００８７】
カビ判定手段は、温度と湿度と測定時間間隔から予め決めたカビ繁殖レベルを示すカビ指標値のデータテーブルを運転制御指示回路４内のマイコン上にプログラムし、温度と湿度の測定値からカビ指標値を決定し、カビ繁殖レベルを判定するものである。入浴、サウナ浴を行っていない乾燥した状態では計測した温度および湿度から壁面の状態を判定することはできるが、入浴中から急速乾燥モードを終了させるまでの間は、壁面に水滴が付着しており、特に急速乾燥モード実行中は加熱循環送風運転や循環送風運転で空気の湿度が低下していても、壁面はまだ水滴が付着しており、現実との解離が見られる。そのため、この急速乾燥モードの期間は、湿度の変化で自動終了するまで、湿度９０％から１００％未満と判定させることによって、壁面の状態を繁栄させることができ、カビ繁殖レベルの過小評価を防ぐことができる。
【００８８】
カビ判定手段によるカビ繁殖レベルの判定結果を表示するために、表示手段２１を浴室外の脱衣室などのリモコン上に設ける。表示手段は、発光ダイオード表示や液晶パネル表示などで行う。表示手段２１は脱衣室リモコン２０に設けることがよいが、これに限定されない。カビ繁殖レベルが予め設定した閾値以上となった場合、表示手段の発光表示の色を緑色から黄色、もしくは赤色へと変更し、カビの汚染が進行したことを使用者は知ることができる。
【００８９】
このようにして、壁面を効率的に乾燥させ、カビ繁殖レベルを判定することで、浴室内のカビが繁殖して汚染が進行する前にカビの存在を認識し、対策することでカビが生えない浴室を継続して維持することができる浴室暖房乾燥機となる。
【００９０】
（実施の形態２）カビの繁殖抑制効果
浴室内に繁殖するカビとして最も有名なクラドスポリウム属真菌（Ｃｌａｄｏｓｐｏｒｉｕｍ  ｃｌａｄｏｓｐｏｒｉｏｉｄｅｓ  、ＮＢＲＣ６３４８、以下クラドスポリウム）を用いて、湿熱による増殖抑制試験を行った。以下にその方法を記す。
【００９１】
ＰＤＡ培地により試験管で斜面培養したクラドスポリウムのコロニーを、滅菌水１ｍＬでピペッティングして胞子を回収した。５０ｍＬ容の遠沈管に胞子回収液１ｍＬと２４ｍＬの滅菌水を加え、室温、２００ｒｐｍの条件で１０分間振とうし、供試液を得た。１．５ｍＬ容のマイクロチューブに供試液１ｍＬを入れ、ブロックヒーターを用いて、ヒートショックを与えた後、シャーレに入れたＰＤＡ培地上に塗布し、２５℃で４日間静地培養した。その後、目視でコロニー数をカウントし生存菌数を算出した。湿熱作用後の生存菌数を湿熱作用前の生存菌数で除し、生存率を算出した。
【００９２】
図２に示す通り、２５℃または３５℃で２時間湿熱を与えても、クラドスポリウムの生存率はほぼ１００％であり、クラドスポリウムの繁殖を抑制することはできなかった。しかし、４０℃の湿熱では１時間で約８０％を抑制でき、２時間では約９０％を抑制させることができた。また、４５℃の湿熱では、０．５時間の暴露でほぼ全滅させることができた。
【００９３】
このように、クラドスポリウムは水浸条件において、４０℃以上の湿熱を１時間以上与えることにより死滅させることが可能であることが分かり、浴室内において壁面が水滴や結露濡れている場合も、温度を上昇させることによって乾燥させることなく抑制することが可能であることを示している。
【００９４】
同様に、クラドスポリウムを用いて、湿り空気による増殖抑制試験を行った。その方法を以下に記す。
【００９５】
ＰＤＡ培地により試験管で斜面培養したコロニーを滅菌水１ｍＬでピペッティングすることにより、胞子を回収した。５０ｍＬ容の遠沈管に胞子回収液１ｍＬと２４ｍＬの滅菌水を加え、室温、２００ｒｐｍで１０分間振とうし、供試液を得た。２５ｍＬ容の遠沈管に供試液０．１ｍＬを入れ、約２時間かけて完全に風乾させた後、予め２５、３５、４０または４５℃かつ９９％に設定された恒温恒湿槽に入れて、乾燥胞子に温湿度ショックを与えた。その後、遠沈管に滅菌水５ｍＬを入れてボルテックスすることにより、乾燥胞子を滅菌水中に分散させ、シャーレに入れたＰＤＡ培地上に塗布して２５℃で４日間静地培養した。そして、目視でコロニー数をカウントし生存菌数を算出した。温湿度ショック後の生存胞子数を温湿度ショック前の生存胞子数で除し、生存率を算出した。
【００９６】
図３に示す通り、クラドスポリウムは４０℃、９９％条件下の湿り空気に１時間暴露させることによりほぼ全滅させることができた。
【００９７】
ここで、図４に示す通り、オーレオバシジウム（Ａｕｒｅｏｂａｓｉｄｉｕｍ  ｐｕｌｕａｎｓ  ＮＢＲＣ６３５３）を用いた実験においても、４０℃、９９％条件下の湿り空気に１時間暴露させることにより、ほぼ全滅させることができた。カビは乾燥により完全に水分を飛ばした後に、４０℃、９９％条件に１時間暴露させることにより、ほぼ完全に死滅させることが可能であった。これは、浴室内の空気中に浮遊するカビを抑制できることを示している。
【００９８】
（実施の形態３）カビ判定方法
表１は、本発明のカビ判定方法のカビ判定手段で用いるカビ繁殖レベルの指標値を示す一覧である。
【００９９】
【表１】
2009186133.tif 000003
【０１００】
カビ判定方法は、測定雰囲気の温度および湿度（相対湿度）から、予め設定されたカビ繁殖レベルの指標値と比較し、測定雰囲気でのカビ繁殖レベルの判定を行う。カビ繁殖レベルとは、カビの成長度合いのレベルを示す値であり、カビ繁殖レベルが小さいとカビがあまり成長しておらず、またカビ繁殖レベルが大きい場合、カビが大きく成長し、見た目にもカビ汚染が進行している状態にあることを示す。表に示された指標値は、時定数τ１におけるカビ指標値の一覧であり、温度と湿度ごとに値が定められている。指標値は、コロニーの大きさ、色の濃さなどの外観や、核酸量、タンパク質量などの菌体構成成分の量などから設定される値であり、予め実験結果などから設定する。カビ汚れと判断される外観の大きさ、色の濃さになる閾値を設定し、その値を超えることでカビの汚染が発生したとすることとする。例えば、大きさであれば、直径２ｍｍ以上でカビと認識でき、５ｍｍ以上になると不快に感じるレベルとなるが、閾値はカビであると判別できる２ｍｍとする。また、時定数とはこの場合測定時間間隔を示す。
【０１０１】
カビ判定方法をプログラム上で行う場合、時定数を用いることで、カビ繁殖レベルにかかる演算処理を省略できる。これまでの手法においては、温度と湿度ごとにカビの菌糸伸張速度からなるカビ指標値を定め、連続して測定する間の温度と湿度の変化を直ちにカビ繁殖レベルに変換処理し、その時々のカビ繁殖レベルが継続した時間から、その値を掛け合わせ、積算して合計期間のカビ繁殖レベルを求めるという方法であり、複数の演算処理を同時に行うため、ＣＰＵを含む演算装置が必要となり、浴室暖房乾燥機などの機器にそのまま組み込むことは難しい。時定数による方法を用いると、マイコン上のメモリなどの記憶装置に記憶させてあるカビ指標値を、時定数、温度、湿度の条件から選択し、読み出すことで実施できるため、汎用的な浴室暖房乾燥機のような機器にも搭載することができる。時定数を用いると、測定時間間隔が制限されるが、温度と湿度の変化やカビ繁殖レベルの変化は緩やかであり測定精度への影響は少ない。住環境のように急激な温度変化が見られない環境では、時定数は１時間から２４時間程度の間隔がよく、好ましくは１時間から６時間であるが、省エネモードとして、時定数を延長し２４時間ごととすることで、計測機器の待機電力を削減でき、測定作業を省略することもできる。
【０１０２】
カビ指標値は、積算して合計期間の値とすることができる。カビは温度と湿度の環境によって繁殖する速さが変化するが、カビの色は漂白剤などで脱色されない限り残存するため、長期間のカビの繁殖レベルは、その期間の間の温度と湿度の変化に応じたカビの繁殖レベルを合計した結果として表すことができる。よって、浴室内の温度と湿度が変化してもカビが生えてくるタイミングを知ることができ、カビ対策を施すことによってカビの繁殖を未然に防ぐことができる。
【０１０３】
カビの繁殖レベルは、カビの種類や、付着する対象物の表面の親水性、表面形状、栄養源の存在などによって異なるため、条件を厳密に設定し、指標値を求めることが必要である。カビの繁殖によって汚染される場所は、カビが発芽、増殖するための水分を獲得しやすい状態である。カビの繁殖による汚染状態を判定する場合、このような好適条件のもと再現試験を行い、指標値を設定することが望ましく、特に付着する表面の親水性が高いものを付着対象の担体として使用することが必要となる。
【０１０４】
カビを付着させる親水性の担体としては、セルロースやシリカゲル、またはグラスファイバーなどの基材が使用できる。これらは、主なカビの汚れが黒色などの暗色であり、これらを認識しやすくするために、無色や白色など淡色であることが好ましい。また、観察する便宜上、平面状で、好ましくは１ｍｍ以下に薄膜化されているものを使用する。用いる材料は、例えばセルロースであればろ紙、シリカゲルであれば、薄相クロマトグラフィー用のシリカゲルプレートなどが使用できる。これらは、はじめ乾燥していることが必要であるが、カビが低湿度で死滅しないよう、カビを接種する前には一定の温度および湿度で平衡化しておく作業がいる。
【０１０５】
試験に供するカビは、浴室内に繁殖するカビとして最も有名なクラドスポリウム属真菌（Ｃｌａｄｏｓｐｏｒｉｕｍ  ｃｌａｄｏｓｐｏｒｉｏｉｄｅｓ  、ＮＢＲＣ６３４８、以下クラドスポリウム）や、オーレオバシジウム（Ａｕｒｅｏｂａｓｉｄｉｕｍ  ｐｕｌｕａｎｓ  ＮＢＲＣ６３５３）が好ましいが、低温性、中温性、高温性、または好乾性など、様々な温湿度で生育するカビを広く使用することが重要である。
【０１０６】
カビを接種する前には、想定される環境に応じて栄養源を担体に含浸させておく。例えば浴室を想定した場合、カビの栄養源として、石鹸カスや、人垢、皮脂成分が考えられる。そのため、栄養源としては皮脂成分であるトリグリセライドの代用で、トリオレイン、トリリノレインや、あるいはオリーブオイルなどをｎ−ヘキサンなどの溶剤で希釈し、１０ｃｍ平方あたり０．１から１ｍｌとなるように含浸させる。栄養源は事前に十分に調査し、適切な量を用いて評価を行うことが重要となる。
【０１０７】
栄養源を含浸させた担体の表面に、カビの胞子を接種する。胞子は、一定量接種しやすいよう一定濃度になるように胞子液を調製し、試験に供する。カビは、あらかじめポテトデキストロース寒天培地（以下、ＰＤＡ培地）などの培地上にて、２５℃から３０℃で３日から７日間前培養し、胞子を十分に形成させる。増殖したカビの表面から、白金耳で胞子を回収し、希薄なｎ−オクチルスルホコハク酸などの界面活性剤で分散させたのち、蒸留水に希釈、または洗浄置換して胞子液を作製する。作製した胞子液は、スライドグラスや血球計算盤に少量滴下し、顕微鏡上で観察して胞子数を計数する。
【０１０８】
作製した胞子液を、栄養源を含浸させた担体表面に滴下する。滴下する面積は評価方法によって異なるが、評価指標としてカビの増殖面積を使用する場合、１ｍｍ以下の極力小さい面積になるようガラスキャピラリーなどの細管を使用して接種する。接種する胞子数は１０の３乗個から５乗個程度とする。
【０１０９】
カビを接種した担体は、速やかに調整した温度および湿度環境のチャンバー内に密閉し、培養する。一定期間培養後、チャンバーから取り出し、顕微鏡や目視で観察し、色を目安にコロニーの大きさ、色の濃さを計測し、数値化する。もしくは、菌体構成成分を指標とする場合には、担体に酵素や溶剤などの抽出試薬を反応させ、カビの菌体構成成分を抽出し、成分を測定する。核酸であれば、例えば粗抽出液に対しフェノールおよびクロロホルムの混合溶液を反応させて核酸を分離し、エタノールなどで精製したのち吸光度から濃度を求めることで、菌体量と相関するカビ指標値を求めることができる。それぞれ１日後の結果であれば、２４時間で割り返して、１時間あたりの大きさを求める。この値をカビの指標値として用いる。
【０１１０】
表１は、カビの大きさをもとに数値化し、時定数τ１における指標値としたものであるが、温度が２５．１℃以上３０．０℃以下の場合でかつ湿度９０％以上９９％以下の場合、２８０という値が選択され、これまで累積した値に積算されることになる。閾値を８００とすると、上記温度および湿度の期間がτ１の３倍続いた時累積値が８４０となるため、３回目の測定終了後に表示手段によってカビ汚染を示す点灯表示を実行する。また、カビ指標値から、空間のカビの繁殖しやすさを定性的に比較することができる。２８℃で８５％の空間と１８℃で８５％の空間におけるカビの生えやすさをカビ指標値をもとに比較すると、２８℃で８５％の空間はカビ指標値が９０であり、１８℃で８５％の空間はカビ指標値が１８である。２８℃で８５％の方が５倍カビが成長しやすいことがわかる。
【０１１１】
以上の方法により、温度と湿度、保持時間ごとのカビ指標値を求め、測定した温度および湿度からカビ指標値を選定し、カビ汚染の判定を行うことができる。
【産業上の利用可能性】
【０１１２】
入浴後またはサウナ浴後に省エネルギーかつ短時間で浴室内を乾燥させることで、浴室内のカビの繁殖を抑制することができ、浴室内を清潔に保つことができる。
【図面の簡単な説明】
【０１１３】
【図１】本発明の実施の形態１のミストサウナ付き浴室暖房乾燥機を示す側面構成図
【図２】本発明の実施の形態２のクラドスポリウム胞子懸濁液への湿熱による胞子発芽活性の低下を示すグラフ
【図３】湿り空気によるクラドスポリウムの繁殖抑制効果を示すグラフ
【図４】湿り空気によるオーレオバシジウムの繁殖抑制効果を示すグラフ
【図５】従来のミストサウナ装置を示す側面構成図
【符号の説明】
【０１１４】
１    浴室暖房乾燥機
２    換気ボックス
３    ミスト発生乾燥循環ボックス
４    運転制御指示回路
５    排気ファン
６    排気ダンパー
７    給湯暖房機
８    給湯配管
９    ミスト生成手段
１０  エレミネータ
１１  排水受
１２  熱交換器
１３  送風機
１４  温度検知手段
１５  湿度検知手段
１６  浴室周囲空気温度検知手段
１７  お湯量調整弁
１８  気流制御手段
１９  浴室内リモコン
２０  脱衣室リモコン
２１  表示手段
２２  起動手段
【図１】
2009186133.tif 000004
【図２】
2009186133.tif 000005
【図３】
2009186133.tif 000006
【図４】
2009186133.tif 000007
【図５】
2009186133.tif 000008